(57)【要約】      （修正有）【課題】本発明は樹脂積層体における導電ラインの浮き出し現象を抑制する。【解決手段】樹脂積層体は、樹脂で構成された第１層１００及びこれに固定された第２層２００を有する積層された複数の層と、第２層２００上に設けられた複数の第１電極２１０と、第２層２００上に設けられ且つ第１電極２１０に接続された複数の第１導電ライン２２０と、第１ダミー導体３００ａとを備えている。第１ダミー導体３００ａは、複数の層のうちの何れかの層上に第１電極２１０及び第１導電ライン２２０の周りに位置するように設けられている。第１距離及び第２距離は５００μｍ以下である。第１距離は第１導電ライン２２０の並列部の間の並び方向の距離である。第２距離は最端の第１導電ライン２２０と第１ダミー導体３００ａの間の面方向の距離である。面方向は第２層２００の面に沿う方向である。【選択図】図１Ｂ
2019159498.tif 000002
【特許請求の範囲】
【請求項１】
積層された複数の層であって、樹脂で構成されており且つ第１面及びその反対側の第２面を有する第１層、及び前記第１層の前記第２面に直接的又は間接的に固定された第２層を有する、前記複数の層と、
前記第２層上に設けられた電極、表示部、アンテナ又はセンサである少なくとも一つの第１機能部と、
前記第２層上に設けられた複数の第１導電ラインであって、そのうちの少なくとも一つが前記少なくとも一つの第１機能部に接続されている、前記複数の第１導電ラインと、
少なくとも一つの第１ダミー導体とを備えており、
前記複数の第１導電ラインは、当該第１導電ラインの少なくとも一部であって、互いに間隔をあけて並列配置された並列部を各々有しており、
前記複数の第１導電ラインは、当該第１導電ラインのうちの最も端に位置する最端の第１導電ラインを含み、
前記少なくとも一つの第１ダミー導体は、前記複数の層のうちの何れかの層上に、前記少なくとも一つの第１機能部及び前記複数の第１導電ラインの周りに位置するように設けられており、
第１距離及び第２距離は、５００μｍ以下であり、
前記第１距離は、前記複数の第１導電ラインの前記並列部の間の並び方向の距離であり、前記並び方向は、前記並列部の並列配置の方向であり、
前記第２距離は、前記最端の第１導電ラインと前記少なくとも一つの第１ダミー導体の間の面方向の距離であり、前記面方向は前記第２層の面に沿う方向である樹脂積層体。
【請求項２】
積層された複数の層であって、樹脂で構成されており且つ第１面及びその反対側の第２面を有する第１層、及び前記第１層の前記第２面に直接的又は間接的に固定された第２層を有する、前記複数の層と、
前記第２層上に設けられた電極、表示部、アンテナ又はセンサである少なくとも一つの第１機能部と、
前記第２層上に設けられた複数の第１導電ラインであって、そのうちの少なくとも一つが前記少なくとも一つの第１機能部に接続されている、前記複数の第１導電ラインと、
少なくとも一つの第１ダミー導体と、
少なくとも一つの第２ダミー導体とを備えており、
前記複数の第１導電ラインは、当該第１導電ラインのうちの最も端に位置する最端の第１導電ラインを含み、
前記少なくとも一つの第１ダミー導体は、前記複数の層のうちの何れかの層上に、前記少なくとも一つの第１機能部及び前記複数の第１導電ラインの周りに位置するように設けられており、
前記少なくとも一つの第２ダミー導体は、前記複数の層のうちの何れかの層上に、前記複数の第１導電ラインの少なくとも一部の間に位置するように設けられており、
第３距離及び第２距離は、５００μｍ以下であり、
前記第３距離は、隣り合う前記第１導電ラインと前記少なくとも一つの第２ダミー導体との間の面方向の距離であり、前記面方向は前記第２層の面に沿う方向であり、
前記第２距離は、前記最端の第１導電ラインと前記少なくとも一つの第１ダミー導体の間の前記面方向の距離である樹脂積層体。
【請求項３】
請求項１又は２記載の樹脂積層体において、
前記少なくとも一つの第１ダミー導体は複数であって、前記何れかの層上に互いに間隔をあけて設けられており、
第４距離は、５００μｍ以下であり、
前記第４距離は、前記複数の第１ダミー導体間の距離である樹脂積層体。
【請求項４】
請求項１又は２記載の樹脂積層体において、
前記少なくとも一つの第１ダミー導体は、複数であって、そのうちの少なくとも一つが第２層上に設けられ、別の少なくとも一つが前記複数の層の第２層以外の層上に設けられている樹脂積層体。
【請求項５】
請求項２記載の樹脂積層体において、
前記複数の第１導電ラインは、隣り合う一方の第１導電ラインと他方の第１導電ラインを含み、
前記少なくとも一つの第２ダミー導体は複数であって、前記一方の第１導電ラインと前記他方の第１導電ラインとの間に間隔をあけて配置されており、
第５距離は、５００μｍ以下であり、
前記第５距離は、前記複数の第２ダミー導体間の距離である樹脂積層体。
【請求項６】
請求項１〜５の何れかに記載の樹脂積層体において、
前記少なくとも一つの第１ダミー導体は、本体部と、前記本体部と前記少なくとも一つの第１機能部又は前記第１導電ラインとの間に配置された複数の小導体とを有しており、
前記複数の小導体は、その密度が本体部から前記少なくとも一つの第１機能部又は前記第１導電ラインにいくに従って低下するように配置又は構成されており、前記複数の小導体のうち前記本体部の近傍に位置する複数の小導体は、前記本体部に一体化されている樹脂積層体。
【請求項７】
請求項６記載の樹脂積層体において、
前記第１層は、前記第１面及び前記第２面のうちの何れかに形成された加飾部をさらに有しており、
前記加飾部は、開口部と、その周縁部を有しており、
前記小導体は、前記周縁部下に配置されている樹脂積層体。
【請求項８】
請求項１〜７の何れかに記載の樹脂積層体において、
前記第１機能部は複数であり、
前記複数の第１導電ラインは、前記第１機能部に各々接続されている樹脂積層体。
【発明の詳細な説明】
【技術分野】
【０００１】
本発明は、タッチ入力装置などの樹脂積層体に関する。
【背景技術】
【０００２】
下記特許文献１には、従来のタッチ入力装置が記載されている。このタッチ入力装置は、透光性基板と、加飾層と、複数の電極と、複数の導電ラインと、ダミー導体とを有している。加飾層は透光性基板上の表示用領域を除く部分に形成されている。電極は、透光性基板上の表示用領域に間隔をあけて設けられている。導電ラインは、前記加飾層上に設けられており且つ前記電極に各々接続されている。ダミー導体は、加飾層上の前記導電ラインを除く部分に当該導電ラインに対して間隙を有して設けられている。導電ラインとダミー導体との間の距離は５０μｍ以下となっており、これにより導電ラインが加飾層及び透光性基板を介して視認され難くなっている。すなわち、導電ラインとダミー導体との間の距離は、あくまで導電ラインを視認し難くするためのものに過ぎない。
【先行技術文献】
【特許文献】
【０００３】
【特許文献１】特開２０１４−８１７５４号公報
【発明の概要】
【発明が解決しようとする課題】
【０００４】
ところで、この種のタッチ入力装置では、透光性基板がポリカーボネート樹脂、ポリメチルメタクリレート樹脂、ＡＢＳ樹脂やＰＥＴ樹脂等の樹脂で構成されている場合、導電ラインのごく僅かな厚みが段差となり、この導電ラインの形状が透光性基板の表面に転写され、浮き出すことがある（以下、浮き出し現象と称する。）。
【０００５】
本発明は、上記事情に鑑みて創案されたものであって、その目的とするところは、導電ラインの浮き出し現象を抑制することができる樹脂積層体を提供することにある。
【課題を解決するための手段】
【０００６】
上記課題を解決するために、本発明の一態様の樹脂積層体は、積層された複数の層と、少なくとも一つの第１機能部と、複数の第１導電ラインと、少なくとも一つの第１ダミー導体とを備えている。複数の層は、樹脂で構成された第１層と、第２層とを有している。第１層は、第１面及びその反対側の第２面を有している。第２層は第１層の第２面に直接的又は間接的に固定されている。少なくとも一つの第１機能部は、例えば、電極、表示部、アンテナ又はセンサであって、第２層上に設けられている。第１導電ラインは、第２層上内に設けられており、そのうちの少なくとも一つが少なくとも一つの第１機能部に接続されている。複数の第１導電ラインは、当該第１導電ラインのうちの最も端に位置する最端の第１導電ラインを含む。少なくとも一つの第１ダミー導体は、複数の層のうちの何れかの層上に、少なくとも一つの第１機能部及び複数の第１導電ラインの周りに位置するように設けられている。
【０００７】
複数の第１導電ラインは、当該第１導電ラインの少なくとも一部であって、互いに間隔をあけて並列配置された並列部を各々有する構成とすることが可能である。
【０００８】
上記樹脂積層体は、少なくとも一つの第２ダミー導体をさらに備えていても良い。少なくとも一つの第２ダミー導体は、複数の層のうちの何れかの層上に、複数の第１導電ラインの少なくとも一部の間に位置するように設けられていると良い。
【０００９】
下記１）〜３）の何れかとすることが可能である。１）第１距離及び第２距離は５００μｍ以下である。２）第３距離及び第２距離は５００μｍ以下である。３）第１距離、第２距離及び第３距離は５００μｍ以下である。
第１距離は、第１導電ラインの並列部の間の並び方向の距離とすることが可能であり、並び方向は、並列部の並列配置の方向とすることが可能である。
第２距離は、最外の第１導電ラインと少なくとも一つの第１ダミー導体の間の面方向の距離とすることが可能であり、面方向は第２層の面に沿う方向とすることが可能である。
第３距離は、隣り合う第１導電ラインと少なくとも一つの第２ダミー導体の間の面方向の距離である。なお、２）の場合、第１導電ラインは、並列部を有しない構成とすることが可能である。
【００１０】
１）〜３）の何れかのとおりに構成することによって、第１導電ラインの形状が第１層の第１面に転写され、浮き出す現象が抑制される。
【００１１】
少なくとも一つの第１ダミー導体は複数とすることが可能である。複数の第１ダミー導体は複数の層のうちの何れかの層上に間隔をあけて設けられた構成とすることが可能である。このような態様の樹脂積層体による場合、第１ダミー導体と第１導電ラインが意図しない電気的結合をし難くなり、仮に第１ダミー導体と第１導電ラインが電気的結合しても、その結合容量を小さくすることができる。
【００１２】
第４距離は５００μｍ以下とすることが可能である。第４距離は、複数の第１ダミー導体間の距離とすることが可能である。このような態様の樹脂積層体による場合、第１ダミー導体の形状が第１層の第１面に転写され、浮き出す現象が抑制される。
【００１３】
複数の第１導電ラインは、隣り合う一方の第１導電ラインと他方の第１導電ラインを含んでいても良い。少なくとも一つの第２ダミー導体は複数とすることが可能である。複数の第２ダミー導体は、一方の第１導電ラインと他方の第１導電ラインとの間に間隔をあけて配置された態様とすることが可能である。このような態様の樹脂積層体による場合、第２ダミー導体と第１導電ラインが意図しない電気的結合をし難くなり、仮に第２ダミー導体と第１導電ラインが電気的結合しても、その結合容量を小さくすることができる。
【００１４】
第５距離は５００μｍ以下とすることが可能である。第５距離は複数の第２ダミー導体間の距離とすることが可能である。このような態様の樹脂積層体による場合、第２ダミー導体の形状が第１層の第１面に転写され、浮き出す現象が抑制される。
【００１５】
第１ダミー導体は、本体部と、この本体部と少なくとも一つの第１機能部又は第１導電ラインとの間に配置された複数の小導体とを有する構成とすることが可能である。この場合、複数の小導体は、その密度が本体部から少なくとも一つの第１機能部又は第１導電ラインにいくに従って低下するように配置又は構成されていても良い。複数の小導体のうち本体部の近傍に位置する複数の小導体（一部の小導体）は、本体部に一体化されていると良い。例えば、第１ダミー導体は、下記の１）〜３）の何れかの態様とすることが可能である。１）複数の小導体は、本体部と少なくとも一つの第１機能部又は第１導電ラインとの間にドット状に配置された構成とすることが可能である。小導体の外形寸法は、少なくとも一つの第１機能部又は第１導電ラインから離れるに従って漸次大きくなり、小導体のうち本体部の近傍に位置する複数の小導体は本体部に一体化された構成とすることが可能である。２）小導体は、本体部と少なくとも一つの第１機能部又は第１導電ラインとの間に間隔をあけて配置されており、且つ当該小導体の配列方向に直交する方向に延びた長尺状とすることが可能である。小導体の配列方向の寸法は少なくとも一つの第１機能部又は第１導電ラインから離れるに従って漸次大きくなるようにしても良い。又は、小導体の配列方向の間隔は、少なくとも一つの第１機能部又は第１導電ラインから離れるに従って漸次小さくなるようにしても良い。小導体のうち本体部の近傍に位置する一又は複数の小導体は本体部に一体化された構成とすることが可能である。３）小導体は、本体部から少なくとも一つの第１機能部又は第１導電ラインへ櫛歯状に延びた構成とすることが可能である。小導体の櫛歯方向の寸法は、本体部から少なくとも一つの第１機能部又は第１導電ラインへ漸次先鋭化されていても良い。
【００１６】
これらの態様の樹脂積層体による場合、第１導電ラインの形状が第１層の第１面に転写され、浮き出す現象が抑制又は抑止される。
【００１７】
第１層は、第１面及び第２面のうちの何れかに形成された加飾部をさらに有する構成とすることが可能である。加飾部は、開口部と、この開口部の周縁部を有する構成とすることが可能である。小導体は加飾部の周縁部下に配置されていると良い。このような態様の樹脂積層体による場合、上記した１）〜３）の何れかの小導体の構成によって、加飾部の開口部と周縁部の境界が第１層の第１面に転写され、浮き出す現象が抑制される。
【００１８】
第２ダミー導体は、本体部と、複数の小導体とを有する構成とすることが可能である。小導体は、第１導電ラインのうち隣り合う二つの第１導電ラインの少なくとも一部の近傍に設けられた構成とすることが可能である。本体部は、二つの第１導電ラインのうちの一方の第１導電ラインの近傍に位置する小導体と他方の第１導電ラインの近傍に位置する小導体との間に設けられた構成とすることが可能である。この場合、第２ダミー導体は、下記の１）〜３）の何れかの態様とすることが可能である。１）小導体は、本体部と第１導電ラインとの間にドット状に配置された構成とすることが可能である。小導体の外形寸法は、第１導電ラインから離れるに従って漸次大きくなるようにしても良い。小導体のうち本体部の近傍に位置する複数の小導体は本体部に一体化された構成とすることが可能である。２）小導体は、本体部と第１導電ラインとの間に間隔をあけて配置されており、且つ当該小導体の配列方向に直交する方向に延びた長尺状とすることが可能である。小導体の配列方向の寸法は第１導電ラインから離れるに従って漸次大きくなるようにしても良い。又は、小導体の配列方向の間隔は、第１導電ラインから離れるに従って漸次小さくなるようにしても良い。小導体のうち本体部の近傍に位置する一又は複数の小導体は本体部に一体化された構成とすることが可能である。３）小導体は、本体部から第１導電ラインへ櫛歯状に延びた構成とすることが可能である。小導体の櫛歯方向の寸法は、本体部から第１導電ラインへ漸次先鋭化されていても良い。
【００１９】
これらの態様の樹脂積層体による場合、第１導電ラインの形状が第１層の第１面に転写され、浮き出す現象が抑制又は抑止される。
【００２０】
第１機能部は複数とすることが可能である。この場合、第１導電ラインは、第１機能部に各々接続された構成とすることが可能である。
【００２１】
第２層は、第１面及び第２面をさらに有する構成とすることが可能である。第２層の第１面は、第１層の第２面に直接的又は間接的に固定された構成とすることが可能である。第２層の第２面は、第１面の反対側の面とすることが可能である。
【００２２】
複数の層は、第２層の第２面に直接的又は間接的に固定される第３層をさらに有する構成とすることが可能である。
【００２３】
上記した何れかの態様の樹脂積層体は、少なくとも一つの第２機能部及び複数の第２導電ラインをさらに備えた構成とすることが可能である。この場合、少なくとも一つの第２機能部は、例えば、電極、表示部、アンテナ又はセンサであって、複数の層のうちの何れかの一つの層上に設けられた構成とすることが可能である。第２導電ラインは、第２機能部に接続されており且つ一つの層上に設けられた構成とすることが可能である。例えば、一つの層は第２層又は第３層とすることが可能である。前者の場合、少なくとも一つの第１機能部及び第１導電ラインが第２層の第１面及び第２面のうちの一方の面に設けられ、少なくとも一つの第２機能部及び第２導電ラインが第２層の他方の面に設けられていると良い。
【図面の簡単な説明】
【００２４】
【図１Ａ】本発明の実施例１に係る樹脂積層体の模式的平面図である。
【図１Ｂ】前記樹脂積層体の図１Ａ中の１Ｂ−１Ｂ拡大断面図である。
【図１Ｃ】前記樹脂積層体の図１Ａ中の１Ｃ−１Ｃ拡大断面図である。
【図１Ｄ】前記樹脂積層体の図１Ａ中の１Ｄ−１Ｄ拡大断面図である。
【図２Ａ】前記樹脂積層体の第１層の模式的平面図である。
【図２Ｂ】前記樹脂積層体の第２層の模式的平面図である。
【図２Ｃ】前記樹脂積層体の第３層の模式的平面図である。
【図３】実施例１の前記樹脂積層体の第１設計変形例に係る第２層の模式的平面図である。
【図４】本発明の実施例２に係る樹脂積層体の第２層の模式的平面図である。
【図５】実施例２の前記樹脂積層体の第２層の設計変更例を示す模式的平面図である。
【図６】本発明の実施例３に係る樹脂積層体の第２層の模式的平面図である。
【図７Ａ】実施例１の樹脂積層体の第２設計変形例に係る第１ダミー導体の図２Ｂ又は図２Ｂ中のα１及び／又はα２の部分の模式的拡大図である。
【図７Ｂ】実施例１の樹脂積層体の第３設計変形例に係る第１ダミー導体の図２Ｂ又は図２Ｂ中のα１及び／又はα２の部分の模式的拡大図である。
【図７Ｃ】実施例１の樹脂積層体の第４設計変形例に係る第１ダミー導体の図２Ｂ又は図２Ｂ中のα１及び／又はα２の部分の模式的拡大図である。
【図７Ｄ】実施例１の樹脂積層体の第５設計変形例に係る第１ダミー導体の図２Ｂ又は図２Ｂ中のα１及び／又はα２の部分の模式的拡大図である。
【発明を実施するための形態】
【００２５】
以下、本発明の実施例１〜３について説明する。
【実施例１】
【００２６】
以下、本発明の実施例１を含む複数の実施例に係る樹脂積層体Ｌ１について図１Ａ〜図３を参照しつつ説明する。図１Ａ〜図２Ｃには、実施例１に係る樹脂積層体Ｌ１が示されている。図３には、実施例１に係る樹脂積層体Ｌ１の設計変更例が示されている。樹脂積層体Ｌ１は、静電容量方式のタッチ入力装置である。
【００２７】
樹脂積層体Ｌ１は、積層された複数の層を備えている。複数の層は第１層１００及び第２層２００を有している。図１Ｂ〜図１Ｄでは、複数の層が積層された方向（積層方向）がＺ−Ｚ’方向として示されている。Ｚ−Ｚ’方向のうち、Ｚ方向側はタッチ入力装置の外部に露出する側（表層側）に相当し、Ｚ’方向側は表層側の反対側（深層側）に相当する。図１Ａ及び図１Ｂには、Ｚ−Ｚ’方向に直交するＹ−Ｙ’方向が示されており、図１Ａ、図１Ｃ及び図１Ｄには、Ｚ−Ｚ’方向及びＹ−Ｙ’方向に直交するＸ−Ｘ’方向が示されている。
【００２８】
第１層１００は、樹脂（例えば、ポリカーボネート（ＰＣ）樹脂、ポリメチルメタクリレート（ＰＭＭＡ）樹脂、ＡＢＳ樹脂、ポリエチレンテレフタレート（ＰＥＴ）樹脂、シクロオレフィンポリマー（ＣＯＰ）樹脂やデュラビオ（ＤＵＲＡＢＩＯ（登録商標））樹脂など）で構成されたプレート又はフィルムである。第１層１００は、少なくとも部分的に透光性を有していれば良い。例えば、第１層１００は、一部又は全部が透明であっても良い。第１層１００は、タッチ入力装置の最表層であるカバーパネルであっても良いが、これに限定されるものではない。第１層１００の厚みは、例えば１０μｍ〜１ｍｍであると良い。第１層１００は、第１面１０１及びその反対側の第２面１０２を有する。第１層１００がカバーパネルである場合、第１面１０１は、タッチ入力装置の最表面であって、指やタッチペンなどの検出対象が接触可能なタッチ領域を含む。第１層１００の第１面１０１には、アクリル層、ハードコート層、アンチグレア層、アンチニュートン層、低反射層、保護層、防指紋層、自己修復層、抗菌層、帯電防止層、強度保持層、及び／又は防汚層などとしての機能を付与するための処理（例えば、コーティング処理等）がされていても良いが、これに限定されるものではない。
【００２９】
第１層１００は、図２Ａに示されるように、加飾部１１０を有していても良い。加飾部１１０は、第１層１００の第１面１０１及び第２面１０２のうちの何れか一方の面上に加飾印刷によって形成されている。加飾部１１０は、開口部１１１とその周縁部１１２を有している。開口部１１１は、使用時に樹脂積層体Ｌ１のＺ’方向側に配置される表示装置の表示を外部から可視可能にするための領域（Ｖｉｅｗｉｎｇ  Ａｒｅａ（ＶＡ））に相当する。なお、図２Ａでは、加飾部１１０は視認し易くするために、ドット柄を付しているが、現実に付されているわけではないので、留意されたい。図１Ａでは、加飾部１１０は図示省略されている。加飾部１１０は省略可能である。
【００３０】
第２層２００は、第１層１００を構成する樹脂と同様の樹脂で構成されたプレート又はフィルムである。第２層２００は、少なくとも部分的に透光性を有していれば良い。例えば、第２層２００は、一部又は全部が透明であっても良い。第２層２００は、第１面２０１及びその反対側の第２面２０２を有する。第２層２００の第１面２０１は、第１層１００の第２面１０２に直接的又は間接的に固定されている。例えば、次の１）又は２）のとおりである。
１）第２層２００の第１面２０１は、図１Ｂ〜図１Ｄに示されているように、粘着剤又はＯｐｔｉｃａｌ  Ｃｌｅａｒ  Ａｄｈｅｓｉｖｅ（ＯＣＡ（登録商標））フィルムＯなどで第１層１００の第２面１０２に直接接着されている。
２）第２層２００の第１面２０１と第１層１００の第２面１０２との間に一の層又はＺ−Ｚ’方向に積層された複数の層が介在した状態で、第２層２００の第１面２０１が第１層１００の第２面１０２に間接的に固定されている。この場合の層間も、粘着剤又はＯＣＡフィルムＯなどで接着すると良い。なお、第２層２００の第１面２０１と第１層１００の第２面１０２との間の一又は複数の層を纏めて、少なくとも一つの他の層とも称する。
【００３１】
樹脂積層体Ｌ１は、複数の第１電極２１０（第１機能部）と、複数の第１導電ライン２２０をさらに備えている。なお、図２Ｂでは、視認し易くするために、第１電極２１０及び第１導電ライン２２０にドット柄を付しているが、現実に付されているわけではないので、留意されたい。
【００３２】
複数の第１電極２１０は、第２層２００の第１面２０１及び第２面２０２のうちの一方の面上に間隔をあけて設けられた透明導電膜又は導体である。例えば、複数の第１電極２１０は、図１Ａ〜図１Ｄ及び図２Ｂに示されるようにＹ−Ｙ’方向に各々延びており且つ一方の面上にＸ−Ｘ’方向に間隔をあけて配置されていると良い。別の態様では、複数の第１電極２１０は、図示しない多角形状又は円形状であって、前記一方の面上にマトリックス状に配置されていても良い。
【００３３】
透明導電膜は、例えば、ＩＴＯ（酸化インジウム＋酸化錫）、ＣＮＴ（カーボンナノチューブ）、ＩＺＯ（酸化インジウム＋酸化亜鉛）、ＡＺＯ（ＡＩドープ酸化亜鉛）又は導電性高分子（ＰＥＤＯＴ又はＰＳＳ）等で構成可能である。導体は、例えば、感光性銀、銀ナノインク、銀ナノワイヤ、蒸着銅、圧延銅又は銅ナノインク等とすることが可能である。
【００３４】
複数の第１導電ライン２２０は、透明導電膜、金属、合金又はメタルワイヤーであって、第２層２００の上記一方の面上に設けられている。透明電極膜は第１電極２１０と同様の素材で構成することが可能である。金属は、例えば、銀（Ａｇ）、モリブデン（Ｍｏ）、アルミニウム（Ａｌ）又は銅（Ｃｕ）などである。合金は、例えば、銀（Ａｇ）、パラジウム（Ｐｄ）及び銅（Ｃｕ）の合金などである。複数の第１導電ライン２２０は、複数の第１電極２１０の端（図１Ａ及び図２Ｂでは、Ｙ’方向の端）に各々接続されており、且つ複数の第１電極２１０から第２層２００の一方の面の端へ各々延びている。なお、複数の第１導電ライン２２０は、当該第１導電ライン２２０のうちの最も端に位置する最端の第１導電ライン２２０を含む。
【００３５】
複数の第１導電ライン２２０は、並列部２２１を各々有していても良い。並列部２２１は、当該第１導電ライン２２０の少なくとも一部であって、互いに間隔をあけて並列配置されている。図２Ｂでは、複数の第１導電ライン２２０は、並列部２２１ａ、２２１ｂ、２２１ｃを各々有している。並列部２２１ａは第１電極２１０から各々Ｙ’方向に延びており且つＸ−Ｘ’方向に間隔をあけて並列配置されている。並列部２２１ｂは並列部２２１ａからＸ方向、Ｘ’方向に延びており且つＹ−Ｙ’方向に間隔をあけて並列配置されている。並列部２２１ｃは並列部２２１ｂからＹ’方向に各々延びており且つＸ−Ｘ’方向に間隔をあけて並列配置されている。
【００３６】
樹脂積層体Ｌ１は、第１ダミー導体３００ａをさらに備えている。第１ダミー導体３００ａは、第１導電ライン２２０と同様の素材で構成されており且つ複数の層のうちの何れかの層上にＺ方向側から見て第１電極２１０及び第１導電ライン２２０の周りに位置するように設けられたベタ導体である。例えば、第１ダミー導体３００ａは、図２Ｂに示されるように、第２層２００の上記一方の面上の第１電極２１０及び第１導電ライン２２０の周りに間隙を有して設けられた構成とすることが可能である。又は、第１ダミー導体３００ａは、複数の層のうちの第２層以外の層の面上にＺ方向側から見て第１電極２１０及び第１導電ライン２２０の周りに位置するように設けられた構成とすることが可能である。この場合、第１ダミー導体３００ａは、は、第２層以外の層の面上に設けられている以外、第２層上に設けられた場合と同様の構成とすることが可能である。なお、図２Ｂでは、視認し易くするために、第１ダミー導体３００ａにドット柄を付しているが、現実に付されているわけではないので、留意されたい。第１ダミー導体３００ａと第１導電ライン２２０とが必ずしも同一素材で構成されている必要はなく、異なる素材で構成されていても良い。
【００３７】
第１ダミー導体３００ａの外形寸法は、タッチ入力装置の意匠領域に対応していると良いが、これに限定されるものではない。例えば、第１ダミー導体３００ａの外形寸法は、意匠領域の一部に対応していても良いし、複数の層のうちの何れかの層の外形寸法と同じであっても良い。タッチ入力装置の意匠領域とは、タッチ入力装置のうち外部に露出するため意匠が施された領域のことである。なお、図２Ｂでは、第１ダミー導体３００ａは、第２層２００の第１面２０１上に設けられており且つその外形寸法がタッチ入力装置の意匠領域に対応している。
【００３８】
第１ダミー導体３００ａは、当該第１ダミー導体３００ａが設けられていない第１空き領域３０１ａ及び第２空き領域３０２ａを有している。Ｚ方向側から見て第１空き領域３０１ａ内に複数の第１電極２１０が上記何れかの態様で配置されている。第１空き領域３０１ａは、第１層１００の開口部１１１（ＶＡ）に対応した外形寸法を有しており且つ開口部１１１に対応した位置に配置されている。第２空き領域３０２ａは第１空き領域３０１ａから第１ダミー導体３００ａの端へ延び、当該端の外側に開放されている。第２空き領域３０２ａは第１空き領域３０１ａに連通している。Ｚ方向側から見て第２空き領域３０２ａ内に複数の第１導電ライン２２０が上記何れかの態様で配置されている。なお、表示装置は、例えば、液晶ディスプレイ (ＬＣＤ）、プラズマディスプレイ（ＰＤＰ）、有機ＥＬディスプレイ （ＯＬＥＤ）、又はＤＬＰプロジェクタ （ＤＬＰ）等である。
【００３９】
樹脂積層体Ｌ１は、複数の第２ダミー導体３００ｂをさらに備えていても良い。複数の第２ダミー導体３００ｂは、第１ダミー導体３００ａと同じ素材で構成可能である。複数の第２ダミー導体３００ｂは、複数の層のうちの何れかの層上に、第１導電ライン２２０のうちの隣り合う第１導電ライン２２０の少なくとも一部の間に位置するように各々設けられている。例えば、複数の第２ダミー導体３００ｂは、以下１）〜４）の何れかの構成とすることが可能である。
１）複数の第２ダミー導体３００ｂは、図２Ｂに示されるように、第２層２００の上記一方の面上の隣り合う第１導電ライン２２０の並列部２２１ａの間に各々間隙を有して設けられている。
２）複数の第２ダミー導体３００ｂは、第２層２００の上記一方の面上の隣り合う第１導電ライン２２０の間の全て領域に各々間隙を有して設けられている。
３）複数の第２ダミー導体３００ｂは、第２層２００以外の層の面上にＺ方向側から見て隣り合う第１導電ライン２２０の並列部２２１ａの間に各々位置するように設けられている。この場合、複数の第２ダミー導体３００ｂは、第２層２００以外の層の面上に設けられている以外、上記１）と同様の構成とすることが可能である。
４）複数の第２ダミー導体３００ｂは、第２層２００以外の層の面上にＺ方向側から見て隣り合う第１導電ライン２２０の間の全て領域に各々位置するように設けられている。この場合、複数の第２ダミー導体３００ｂは、第２層２００以外の層の面上に設けられている以外、上記２）と同様の構成とすることが可能である。
なお、図２Ｂでは、視認し易くするために、第２ダミー導体３００ｂにドット柄を付しているが、現実に付されているわけではないので、留意されたい。
【００４０】
ここで、第１導電ライン２２０の並列部２２１の間（図２Ｂでは、並列部２２１ｂ間及び並列部２２１ｃの間）の間の並び方向の距離（最短距離）を距離Ｄ１とする。並び方向は、並列部２２１ｂ、２２１ｃの各々の並列配置の方向である。図２Ｂでは、並列部２２１ｂの並び方向はＹ−Ｙ’方向であり、並列部２２１ｃの並び方向はＸ−Ｘ’方向である。
最端の第１導電ライン２２０と第１ダミー導体３００ａの間の面方向の距離（最短距離）を距離Ｄ２とする。面方向は第２層２００の一方の面に沿う方向である。
隣り合う第１導電ライン２２０と第２ダミー導体３００ｂとの間の面方向の距離（最短距離）を距離Ｄ３とする。
第１層１００の第１面１０１から第１導電ライン２２０までのＺ−Ｚ’方向の距離を距離Ｄ４とする。
【００４１】
樹脂積層体Ｌ１は、下記Ａ）〜Ｃ）の何れかの構成を有していると良い。
Ａ）距離Ｄ１（第１距離）及び距離Ｄ２（第２距離）は、５００μｍ以下とすると良く、より好ましくは３００μｍ以下とすると良い。なお、Ａ）の場合、第２ダミー導体３００ｂは省略可能である。
Ｂ）距離Ｄ３（第３距離）及び距離Ｄ２は、５００μｍ以下とすると良く、より好ましくは３００μｍ以下とすると良い。なお、Ｂ）の場合、第１導電ライン２２０の並列部２２１は省略可能である。
Ｃ）距離Ｄ１、距離Ｄ２及び距離Ｄ３は、５００μｍ以下とすると良く、より好ましくは３００μｍ以下とすると良い。
なお、Ａ）距離Ｄ１及び距離Ｄ２、Ｂ）距離Ｄ３及び距離Ｄ２、又はＣ）距離Ｄ１、距離Ｄ２及び距離Ｄ３は、距離Ｄ４よりも小さくすることが可能である。
距離Ｄ４は、概ね５００μｍ以下である。
【００４２】
複数の層は、第３層４００をさらに有していても良い。第３層４００は、第２層２００と同様の構成とすることが可能である。第３層４００の第１面４０１は、第２層２００と同様に第２層２００の第２面２０２に直接的又は間接的に固定されている。なお、第３層４００の第２面４０２は、第１面４０１の反対側の面である。
【００４３】
樹脂積層体Ｌ１は、複数の第２電極４１０（第２機能部）と、複数の第２導電ライン４２０をさらに備えた構成とすることが可能である。なお、図２Ｃでは、視認し易くするために、第２電極４１０及び第２導電ライン４２０にドット柄を付しているが、現実に付されているわけではないので、留意されたい。
【００４４】
複数の第２電極４１０は、第１電極２１０と同様の透明導電膜又は導体である。複数の第２電極４１０は、以下の１）〜３）の何れかの構成とすることが可能である。
１）複数の第２電極４１０は、図１Ａ〜図１Ｄ及び図２Ｃに示されるように、Ｘ−Ｘ’方向に各々延びており且つ複数の第１電極２１０に交差するように第３層４００の第１面４０１及び第２面４０２の何れか一方の面上にＹ−Ｙ’方向に間隔をあけて設けられている。
２）複数の第２電極４１０は、Ｘ−Ｘ’方向に各々延びており且つ複数の第１電極２１０に交差するように第２層２００の第１面２０１及び第２面２０２の他方の面上にＹ−Ｙ’方向に間隔をあけて設けられている。
３）複数の第２電極４１０は、Ｘ−Ｘ’方向に各々延びており且つ複数の第１電極２１０に交差するように第２層２００の上記一方の面上にＹ−Ｙ’方向に間隔をあけて設けられている。この場合、複数の第１電極２１０と複数の第２電極４１０との間には図示しない絶縁層が直接介在していると良い。なお、２）及び３）の場合、第３層４００は省略可能である。
【００４５】
複数の第２導電ライン４２０は、第１導電ライン２２０と同様の透明導電膜、金属、合金又はメタルワイヤーであって、複数の第２電極４１０の端（図１Ａ及び図２Ｃでは、Ｘ方向の端）に各々接続されている。
複数の第２電極４１０が上記１）の構成の場合、複数の第２導電ライン４２０は、第３層４００の一方の面上に設けられており且つ複数の第２電極４１０から第３層４００の一方の面の端へ各々延びている。
複数の第２電極４１０が上記２）の構成の場合、複数の第２導電ライン４２０は、第２層２００の他方の面上に設けられており、且つ複数の第２電極４１０から第２層２００の他方の面の端へ各々延びている。
複数の第２電極４１０が上記３）の構成の場合、複数の第２導電ライン４２０は、第２層２００の一方の面上に設けられており、且つ複数の第２電極４１０から第２層２００の一方の面の端へ各々延びている。
なお、第２ダミー導体３００ｂと第２導電ライン４２０とが必ずしも同一素材で構成されている必要はなく、異なる素材で構成されていても良い。
【００４６】
樹脂積層体Ｌ１が、複数の第１電極２１０を備えている一方、複数の第２電極４１０を備えていない場合、第１電極２１０はさらに以下のア）又はイ）の構成とすることが可能である。なお、この場合、複数の第２導電ライン４２０も省略される。
ア）第１電極２１０の何れか一つに検出対象が接近したときに、第１電極２１０と検出対象との間に発生する静電容量が変化し、第１電極２１０の出力信号が変化する構成（自己容量型）である。
イ）第１電極２１０は、複数の組を含んでおり、各組が隣り合う二つの第１電極２１０を含んでいる。各組において、隣り合う二つの第１電極２１０の一方の第１電極２１０が駆動電極であり、他方の第１電極２１０が検出電極であり、両者は静電結合している。前述の組の何れか一つに検出対象が接近したときに、当該組の隣り合う二つの第１電極２１０間の静電容量が変化し、検出電極の出力信号が変化する構成（相互容量型）である。
【００４７】
樹脂積層体Ｌ１が、複数の第１電極２１０及び第２電極４１０を備えている場合、第１電極２１０及び第２電極４１０はさらに以下のウ）又はエ）の構成とすることが可能である。
ウ）第１電極２１０及び第２電極４１０の何れか一つの電極に検出対象が接近したときに、一つの電極と検出対象との間に発生する静電容量が変化し、一つの電極の出力信号が変化する構成（自己容量型）である。
エ）第１電極２１０及び第２電極４１０の何れか一方が駆動電極であり、他方が検出電極である。第１電極２１０及び第２電極４１０は、互いに交差する箇所で静電結合されている。この結合箇所の何れか一つに検出対象が接近したときに、当該結合箇所の静電容量が変化し、当該結合箇所の検出電極の出力信号が変化する構成（相互容量型）である。
【００４８】
樹脂積層体Ｌ１は、第１接地導体３００ｃをさらに備えていても良い。この場合、第１ダミー導体３００ａは、当該第１ダミー導体３００ａが設けられていない第３空き領域３０３ａをさらに有している。第１接地導体３００ｃは、第１ダミー導体３００ａが設けられた層の同じ面上の第３空き領域３０３ａ内に設けられており、複数の第２導電ライン４２０のＺ方向側に位置していると良い。すなわち、第１接地導体３００ｃは、Ｚ方向側から見て複数の第２導電ライン４２０を覆っている。なお、図１Ａ〜図１Ｃ及び図２Ｂでは、第１接地導体３００ｃは、第２層２００の第１面２０１上の第３空き領域３０３ａ内に設けられている。第１接地導体３００ｃは、第１ダミー導体３００ａと同じ素材で構成可能であって、グランド接続される。なお、図３に示すように、第３空き領域３０３ａ及び第１接地導体３００ｃは省略可能である。この場合、第３空き領域３０３ａにも第１ダミー導体３００ａが設けられていると良い。
【００４９】
樹脂積層体Ｌ１は、第２接地導体３００ｄをさらに備えていても良い。第２接地導体３００ｄは、複数の第１導電ライン２２０のＺ方向側又はＺ’方向側に位置するように第２層２００の他方の面に設けられていても良いし、複数の第１導電ライン２２０のＺ’方向側に位置するように第３層４００の一方の面上に設けられていても良い。すなわち、第２接地導体３００ｄは、Ｚ方向側又はＺ’方向側から見て複数の第１導電ライン２２０を覆っている。なお、図１Ａ〜図１Ｃ及び図２Ｃでは、第２接地導体３００ｄは、第３層４００の第１面４０１上に設けられている。この第２接地導体３００ｄは、第１ダミー導体３００ａと同じ素材で構成可能であって、グランド接続される。なお、第２接地導体３００ｄは省略可能である。
【００５０】
以上のような樹脂積層体Ｌ１による場合、樹脂積層体Ｌ１の第１導電ライン２２０の形状が第１層１００の第１面１０１に転写され、浮き出す現象が抑制又は抑止される。その理由は以下のとおりである。第１導電ライン２２０及び第１電極２１０の周りには、第１ダミー導体３００ａが配置されている。これに加えて、Ａ）距離Ｄ１及び距離Ｄ２、Ｂ）距離Ｄ３及び距離Ｄ２、又はＣ）距離Ｄ１、距離Ｄ２及び距離Ｄ３が５００μｍ以下と非常に小さい。なお、Ａ）距離Ｄ１及び距離Ｄ２、Ｂ）距離Ｄ３及び距離Ｄ２、又はＣ）距離Ｄ１、距離Ｄ２及び距離Ｄ３を３００μｍ以下とすることによって、樹脂積層体Ｌ１の第１導電ライン２２０の形状が第１層１００の第１面１０１に転写され、浮き出す現象がほぼ抑止される。
【実施例２】
【００５１】
以下、本発明の実施例２を含む複数の実施例に係る樹脂積層体Ｌ２について図４を参照しつつ説明する。図４には、実施例２に係る樹脂積層体Ｌ２が示されている。この樹脂積層体Ｌ２は、第１ダミー導体３００ａ’が複数である点で相違する以外、樹脂積層体Ｌ１と同じ構成である。よって、この相違点について詳しく説明し、樹脂積層体Ｌ２の説明のうち、樹脂積層体Ｌ１の説明と重複する説明は省略する。
【００５２】
複数の第１ダミー導体３００ａ’は、第１ダミー導体３００ａと同じ素材で構成されている。第１ダミー導体３００ａ’は、多角形状又は円形状であって、複数の層のうちの何れかの層上に、互いに間隔をあけて設けられている。図４では、四角形状の第１ダミー導体３００ａ’が第２層２００の第１面２０１上に互いに間隔をあけて設けられている。第１ダミー導体３００ａ’は、第１空き領域３０１ａ’及び第２空き領域３０２ａ’を区画するように配置されている。第１空き領域３０１ａ’及び第２空き領域３０２ａ’は、樹脂積層体Ｌ１の第１空き領域３０１ａ及び第２空き領域３０２ａと同じである。図５では、複数の第１ダミー導体３００ａ’は、第１空き領域３０１ａ’及び第２空き領域３０２ａ’に加えて、上記第３空き領域３０３ａ’を区画するように配置されていても良い。この第３空き領域内には、上記した通り、第１接地導体３００ｃが設けられていると良い。
【００５３】
樹脂積層体Ｌ３についても、樹脂積層体Ｌ１の上記Ａ）〜Ｃ）の何れかの構成することが可能である。これに加えて、距離Ｄ５（第４距離）は、５００μｍ以下とすると良く、より好ましくは３００μｍ以下とすると良い。距離Ｄ５は第１ダミー導体３００ａ’間の距離（最短距離）である。距離Ｄ５は距離Ｄ４よりも小さくすると良い。
【００５４】
このような態様の樹脂積層体Ｌ２による場合、樹脂積層体Ｌ１と同様の技術的特徴及び効果を奏する。加えて、樹脂積層体Ｌ２は、一又は複数の第１ダミー導体３００ａ’とその隣の第１導電ライン２２０及び／又は第１電極２１０との意図しない電気的結合を抑制又は抑止することができる。仮に、一又は複数の第１ダミー導体３００ａ’とその隣の第１導電ライン２２０及び／又は第１電極２１０とが電気的結合したとしても、その結合容量を小さくすることができる。
【００５５】
さらに、距離Ｄ５が５００μｍ以下と非常に小さいので、複数の第１ダミー導体３００ａ’の形状が第１層１００の第１面１０１に転写され、浮き出す現象が抑制又は抑止される。距離Ｄ５を３００μｍ以下とすることによって、複数の第１ダミー導体３００ａ’の形状が第１層１００の第１面１０１に転写され、浮き出す現象がほぼ抑制又は抑止される。
【実施例３】
【００５６】
以下、本発明の実施例３を含む複数の実施例に係る樹脂積層体Ｌ３について図６を参照しつつ説明する。図６には、実施例２に係る樹脂積層体Ｌ３が示されている。この樹脂積層体Ｌ３は、複数の第２ダミー導体３００ｂのうちの少なくとも一つに代えて、複数の第２ダミー導体３００ｂ’が設けられている点で相違する以外、樹脂積層体Ｌ１と同じ構成である。よって、この相違点について詳しく説明し、樹脂積層体Ｌ３の説明のうち、樹脂積層体Ｌ１の説明と重複する説明は省略する。
【００５７】
第１導電ライン２２０は、隣り合う一方の第１導電ライン２２０と他方の第１導電ライン２２０を含んでいる。一方の第１導電ライン２２０はグランドに接続されていると良いが、これに限定されるものではない。
【００５８】
複数の第２ダミー導体３００ｂ’は、第１ダミー導体３００ａと同じ素材で構成可能である。複数の第２ダミー導体３００ｂ’は、複数の層の何れかの層上（図６では第２層２００の第１面２０１上）に、一方の第１導電ライン２２０と他方の第１導電ライン２２０の間に位置するように設けられている。複数の第２ダミー導体３００ｂ’は、一方の第１導電ライン２２０の一部と他方の第１導電ライン２２０の一部の間、又は、一方の第１導電ライン２２０の全部と他方の第１導電ライン２２０の全部の間に間隔をあけて配置されている。複数の第２ダミー導体３００ｂ’は、第１導電ライン２２０の一部（図６参照）又は全部に沿って各々延びる長尺状であって、その長尺方向に直交する方向に間隔をあけて配置されていても良いし、図示しない多角形状又は円形状であって、マトリックス状に配置されていても良い。複数の第２ダミー導体３００ｂ’は、第２ダミー導体３００ｂ’のうちの最も端に位置する最端の第２ダミー導体３００ｂ’を含む。
【００５９】
樹脂積層体Ｌ３についても、樹脂積層体Ｌ１の上記Ａ）〜Ｃ）の何れかの構成することが可能である。ただし、距離Ｄ３は、第１導電ライン２２０と第２ダミー導体３００ｂとの間の面方向の距離（最短距離）であると共に、第１導電ライン２２０と最端の第２ダミー導体３００ｂ’との間の面方向の距離（最短距離）である。これに加えて、距離Ｄ６（第５距離）は、５００μｍ以下とすると良く、より好ましくは３００μｍ以下とすると良い。距離Ｄ６は、隣り合う第２ダミー導体３００ｂ’間の距離（最短距離）である。距離Ｄ３及び距離Ｄ６は、距離Ｄ４よりも小さくすると良い。
【００６０】
このような態様の樹脂積層体Ｌ３による場合、樹脂積層体Ｌ１と同様の技術的特徴及び効果を奏する。加えて、樹脂積層体Ｌ３は、第２ダミー導体３００ｂ’とその隣の第１導電ライン２２０との意図しない電気的結合を抑制又は抑止することができる。仮に、第２ダミー導体３００ｂ’とその隣の第１導電ライン２２０とが電気的結合したとしても、その結合容量を小さくすることができる。特に、一方の第１導電ライン２２０がグランドラインであり、且つその隣に第２ダミー導体３００ｂがある場合、他方の第１導電ライン２２０が第２ダミー導体３００ｂを介して一方の第１導電ライン２２０に電気的結合し、マイグレーションが発生することがある。距離Ｄ３が、上記したように５００μｍ以下と非常に狭いためである。しかし、樹脂積層体Ｌ３では、一方の第１導電ライン２２０と他方の第１導電ライン２２０との間に複数の第２ダミー導体３００ｂ’が間隔をあけて配置されているので、他方の第１導電ライン２２０が第２ダミー導体３００ｂを介して一方の第１導電ライン２２０に電気的結合することが抑制又は抑止される。その結果、前述のマイグレーションの発生も抑制又は抑止される。
【００６１】
さらに、距離Ｄ３及び距離Ｄ６が５００μｍ以下と非常に小さいので、複数の第２ダミー導体３００ｂ’の形状が第１層１００の第１面１０１に転写され、浮き出す現象が抑制又は抑止される。距離Ｄ３及び距離Ｄ６を３００μｍ以下とすることによって、複数の第２ダミー導体３００ｂ’の形状が第１層１００の第１面１０１に転写され、浮き出す現象がほぼ抑制又は抑止される。
【００６２】
なお、樹脂積層体Ｌ２は、樹脂積層体Ｌ３と同様に、第２ダミー導体３００ｂのうちの少なくとも一つに代えて、複数の第２ダミー導体３００ｂ’を設けることが可能である。この場合、距離Ｄ３及び距離Ｄ６も適用される。
【００６３】
なお、上記した樹脂積層体は、上記実施例に限定されるものではなく、特許請求の範囲の記載範囲において任意に設計変更することが可能である。
【００６４】
本発明の樹脂積層体は、静電容量方式のタッチ入力装置に限定されない。例えば、本発明の樹脂積層体は、抵抗膜方式のタッチ入力装置、表示装置、発電装置、通信モジュール又はセンサモジュールなどとすることが可能である。
【００６５】
本発明の樹脂積層体が抵抗膜方式のタッチ入力装置である場合、上記した何れかの態様の複数の第１電極２１０及び第２電極４１０を抵抗方式の電極（第１機能部）とし、第２層２００と第３層４００との間にドットスペーサを介在させると良い。これ以外については、樹脂積層体は上記実施例に記載したとおりとすることが可能である。
【００６６】
本発明の樹脂積層体が表示装置（液晶ディスプレイ(ＬＣＤ）や有機ＥＬディスプレイ （ＯＬＥＤ））である場合、上記した何れかの態様の複数の第１電極２１０及び第２電極４１０を表示装置の表示部の電極とすると良い。液晶ディスプレイの場合、第１電極２１０及び第２電極４１０の間の第２層２００を液晶層とすると良い。有機ＥＬディスプレイの場合、第２層２００、第３層４００を電子輸送層、正孔輸送層とし、両者間に発光層を介在させると良い。これ以外については、樹脂積層体は上記実施例に記載したとおりとすることが可能である。
【００６７】
本発明の樹脂積層体が発電装置（太陽電池）である場合、第２層２００の第１面２０１上の複数の第１電極２１０及び第３層４００の第２面４０２上の第２電極４１０を太陽電池の電極とし、第２層２００、第３層４００をＮ型シリコン半導体、Ｐ型シリコン半導体とすると良い。これ以外については、樹脂積層体は上記実施例に記載したとおりとすることが可能である。
【００６８】
本発明の樹脂積層体は、通信モジュールである場合、上記した複数の第１電極２１０の代りに、少なくとも一つのアンテナが設けられていると良い。この場合、少なくとも一つのアンテナに一又は複数の第１導電ライン２２０が接続されていると良い。この場合、第３層４００、第２電極４１０及び第２導電ライン４２０は省略する構成、又は、上記した複数の第２電極４１０の代りに、少なくとも一つの別のアンテナが設けられた構成とすることが可能である。後者の場合、別のアンテナに一又は複数の第２導電ライン４２０が接続されていると良い。これ以外については、樹脂積層体は上記実施例に記載したとおりとすることが可能である。
【００６９】
本発明の樹脂積層体が、センサモジュールである場合、上記した複数の第１電極２１０の代りに、少なくとも一つのセンサ（例えば、発光素子及び受光素子、ジャイロセンサや加速度センサ（第１機能部））が設けられていると良い。少なくとも一つのセンサに一又は複数の第１導電ライン２２０が接続されていると良い。この場合、第３層４００、第２電極４１０及び第２導電ライン４２０は省略される。これ以外については、樹脂積層体は上記実施例に記載したとおりとすることが可能である。
【００７０】
以上のとおり、本発明の第１機能部は、少なくとも一つあれば良く、電極、表示部、アンテナ又はセンサとすることが可能であるが、少なくとも一つの第１導電ラインに電気的に接続されており且つ通電により機能を発揮する又は外部からの影響を受けて電気的に機能するものである限りどのようなものであっても構わない。
【００７１】
本発明の第１ダミー導体３００ａは、本体部３１０ａと、複数の小導体３２０ａとを有する構成とすることが可能である。複数の小導体３２０ａは、本体部３１０ａと、上記した何れかの態様の少なくとも一つの第１機能部又は第１導電ラインとの間に配置されている。複数の小導体３２０ａは、その密度が本体部３１０ａから少なくとも一つの第１機能部又は第１導電ラインにいくに従って低下するように配置又は構成されている。複数の小導体３２０ａのうち本体部３１０ａの近傍に位置する複数の小導体３２０ａ（一部の小導体３２０ａ）は、本体部３１０ａに一体化されている。
【００７２】
この構成の第１ダミー導体３００ａは、以下の通り、上記樹脂積層体Ｌ１〜Ｌ３に適用される。なお、この第１ダミー導体３００ａの構成は、本発明の樹脂積層体が上記Ａ）〜Ｃ）の何れかの構成を備えていない場合でも適用可能である。
【００７３】
複数の小導体３２０ａは、第１空き領域３０１ａ（第１電極２１０）及び第２空き領域３０２ａ（第１導電ライン２２０）の少なくとも一方の領域の周りに設けられている。換言すると、複数の小導体３２０ａは、前記少なくとも一方の領域を区画する当該領域の縁部を構成しており、当該領域と本体部３１０ａとの間に位置している。本体部３１０ａは第１ダミー導体３００ａの複数の小導体３２０ａ以外の部分である。第１層１００の第２面１０２上に加飾部１１０が設けられている場合、第１空き領域３０１ａを区画する複数の小導体３２０ａは加飾部１１０の周縁部１１２下（すなわち、周縁部１１２のＺ’方向側）に配置されていると良い。複数の小導体３２０ａは、以下のような構成とすることが可能である。
【００７４】
図７Ａでは、複数の小導体３２０ａは、本体部３１０ａと少なくとも一方の領域（すなわち、第１電極２１０及び第１導電ライン２２０の少なくとも一方）との間にドット状に配置されている。この場合、複数の小導体３２０ａの外形寸法は、少なくとも一方の領域から離れるに従って漸次大きくなっている（すなわち、複数の小導体３２０ａの密度は、本体部３１０ａから少なくとも一方の領域側（第１電極２１０及び第１導電ライン２２０の少なくとも一方側）にいくに従って低下する）。複数の小導体３２０ａのうち、本体部３１０ａの近傍に位置する複数の小導体３２０ａは、本体部３１０ａに一体化されている。
【００７５】
図７Ｂでは、複数の小導体３２０ａは、本体部３１０ａと少なくとも一方の領域（すなわち、第１電極２１０及び第１導電ライン２２０の少なくとも一方）との間に間隔をあけて配置されている。複数の小導体３２０ａは、当該小導体３２０ａの配列方向に直交する方向に各々延びた長尺状である。複数の小導体３２０ａの配列方向の寸法は少なくとも一方の領域（すなわち、第１電極２１０及び第１導電ライン２２０の少なくとも一方）から離れるに従って漸次大きくなる（すなわち、複数の小導体３２０ａの密度は、本体部３１０ａから少なくとも一方の領域側（第１電極２１０及び第１導電ライン２２０の少なくとも一方側）にいくに従って低下する）。複数の小導体３２０ａのうち、本体部３１０ａの近傍に位置する一又は複数の小導体３２０ａは、本体部３１０ａに一体化されている。
【００７６】
図７Ｃに示される複数の小導体３２０ａは、図７Ｂに示される複数の小導体３２０ａと以下の点で相違している以外、両者は同様の構成である。複数の小導体３２０ａの配列方向の寸法は同じであり、その代わりに、複数の小導体３２０ａの配列方向の間隔が、少なくとも一方の領域（すなわち、第１電極２１０及び第１導電ライン２２０の少なくとも一方）から離れるに従って漸次小さくなっている（すなわち、複数の小導体３２０ａの密度は、本体部３１０ａから少なくとも一方の領域側（第１電極２１０及び第１導電ライン２２０の少なくとも一方側）にいくに従って低下する）。
【００７７】
図７Ａ〜図７Ｃに示される第１ダミー導体３００ａによる場合、第１導電ライン２２０の形状が第１層１００の第１面１０１に転写され、浮き出す現象が抑制又は抑止されると共に、第１ダミー導体３００ａの少なくとも一方の領域側の端の形状が第１層１００の第１面１０１に転写され、浮き出す現象が抑制又は抑止される。複数の小導体３２０ａのうちの最も第１空き領域３０１ａ側に位置する最端の小導体３２０ａの第１空き領域３０１ａ側の端が、加飾部１１０の開口部１１１と周縁部１１２との境界（上記Ｖｉｅｗｉｎｇ  ＡＲＥＡ（ＶＡ）の縁）とＺ−Ｚ’方向においてほぼ一致していても良いが、これに限定されるものではない。なぜなら、前述の通り、複数の小導体３２０ａの密度は、本体部３１０ａから第１空き領域３０１ａ側にいくに従って低下するため、最端の小導体３２０ａの第１空き領域３０１ａ側の端とＶＡの縁とが一致していなくても（多少ズレていても）、ＶＡの縁からはみ出た小導体３２０ａの存在が視認され難い。よって、加飾部１１０を有する第１層１００と、第１ダミー導体３００ａを有する層とを貼り合わせる又は上記少なくとも一つの他の層を介して積層する際に、ＶＡの縁と第１空き領域３０１ａを区画する複数の小導体３２０ａの端との位置合わせが容易になる。
【００７８】
図７Ｄでは、複数の小導体３２０ａは、本体部３１０ａから少なくとも一方の領域（すなわち、第１電極２１０及び第１導電ライン２２０の少なくとも一方）へ櫛歯状に各々延びている。複数の小導体３２０ａの櫛歯方向の寸法は本体部３１０ａから少なくとも一方の領域に向けて漸次先鋭化さされている（すなわち、複数の小導体３２０ａの密度は、本体部３１０ａから少なくとも一方の領域側（第１電極２１０及び第１導電ライン２２０の少なくとも一方側）にいくに従って低下する）。このようにすると、第１導電ライン２２０の形状が第１層１００の第１面１０１に転写され、浮き出す現象が抑制又は抑止されると共に、第１ダミー導体３００ａの少なくとも一方の領域側の端の形状が第１層１００の第１面１０１に転写され、浮き出す現象が抑制又は抑止される。複数の小導体３２０ａの先端（少なくとも一方の領域側の端）は、加飾部１１０の開口部１１１と周縁部１１２との境界（上記ＶＡの縁）とＺ−Ｚ’方向においてほぼ一致していても良いが、これに限定されるものではない。前述の通り、小導体３２０ａの密度は、本体部３１０ａから第１空き領域３０１ａ側にいくに従って低下するため、小導体３２０ａの第１空き領域３０１ａ側の先端とＶＡの縁とが一致していなくても（多少ズレていても）、ＶＡの縁からはみ出た小導体３２０ａの先端部分の存在が視認され難い。よって、加飾部１１０を有する第１層１００と、第１ダミー導体３００ａを有する層とを貼り合わせる又は上記少なくとも一つの他の層を介して積層する際に、ＶＡの縁と第１空き領域３０１ａを区画する複数の小導体３２０ａの端との位置合わせが容易になる。
【００７９】
本発明の第１ダミー導体３００ａ’のうち、第１空き領域３０１ａ’及び第２空き領域３０２ａ’の少なくとも一方の領域に最も近い第１ダミー導体３００ａ’は、上記何れかの態様の本体部３１０ａ及び複数の小導体３２０ａを有する構成とすることが可能である。
【００８０】
本発明の第２ダミー導体３００ｂについても、上記何れかの態様の本体部３１０ａ及び複数の小導体３２０ａを有する構成とすることが可能である。第２ダミー導体３００ｂの本体部３１０ａ及び複数の小導体３２０ａと、第１ダミー導体３００ａの本体部３１０ａ及び複数の小導体３２０ａとの相違点についてのみ詳しく説明する。これ以外については、両者は同様の構成である。
【００８１】
第２ダミー導体３００ｂの複数の小導体３２０ａは、第１導電ライン２２０のうち隣り合う二つの第１導電ライン２２０の少なくとも一部の近傍に各々設けられている。一方の第１導電ライン２２０の近傍の複数の小導体３２０ａと、他方の第１導電ライン２２０の近傍の複数の小導体３２０ａとの間に本体部３１０ａが設けられている。図７Ａに示される小導体３２０ａの場合、小導体３２０ａの外形寸法は、第１導電ライン２２０から離れるに従って漸次大きくすると良い。図７Ｂに示される小導体３２０ａの場合、小導体３２０ａの配列方向の寸法は第１導電ライン２２０から離れるに従って漸次大きくすると良い。図７Ｃに示される小導体３２０ａの場合、小導体３２０ａは配列方向の間隔は、第１導電ライン２２０から離れるに従って漸次小さくすると良い。図７Ｄに示される小導体３２０ａの場合、小導体３２０ａは本体部３１０ａから第１導電ライン２２０へ櫛歯状に延びている。小導体３２０ａの櫛歯方向の寸法は本体部３１０ａから第１導電ライン２２０に向けて漸次先鋭化されている。これらのようにした場合、第１導電ライン２２０の形状が第１層１００の第１面１０１に転写され、浮き出す現象が抑制又は抑止されると共に、第２ダミー導体３００ｂの第１導電ライン２２０側の端の形状が第１層１００の第１面１０１に転写され、浮き出す現象が抑制又は抑止される。なお、この第２ダミー導体３００ｂの構成は、樹脂積層体が上記Ａ）〜Ｃ）の構成を備えていない場合でも適用可能である。
【００８２】
本発明の第１ダミー導体及び／又は第２ダミー導体は、第１電極及び第１導電ラインに対して絶縁されていても良い。本発明の第１ダミー導体及び／又は第２ダミー導体は、ＧＮＤに接続されていても良い。又は、本発明の第１ダミー導体及び／又は第２ダミー導体は、一定の電圧又は何らかの動的電圧が印加される構成となっていても良い。本発明の第１ダミー導体及び／又は第２ダミー導体は、複数の層のうちの何れかの一つの層（第２層を含む）上に形成されているのに限定されない。例えば、本発明の第１ダミー導体及び／又は第２ダミー導体は複数であって、そのうちの少なくとも一つが複数の層のうちの何れかの一つの層上に形成され、別の少なくとも一つが複数の層のうちの別の一つの層上に形成されていても良い。なお、本発明の第１ダミー導体及び／又は第２ダミー導体は、少なくとも一つあれば良い。
【００８３】
本発明の第１導電ラインの少なくとも一部の外形寸法を大きくすることによって、第１距離を５００μｍ以下とすることができる。また、本発明の第１導電ラインの少なくとも一部の外形寸法を大きくすることによって、タッチ入力装置の意匠領域を埋めることも可能である。この場合、第１導電ラインが第１ダミー導体の代りになるため、第１ダミー導体は省略可能である。
【００８４】
本発明の複数の層のうち、第１層１００及び第２層２００以外の層については、機能層（例えば、アンチグレア層、アンチニュートン層、低反射層、自己修復層、抗菌層及び／又は帯電防止層など）であっても良いし、ダミー層であっても良い。
【００８５】
本発明の樹脂積層体は、実施例の如く、フラットの形状に限定されない。例えば、樹脂積層体は、その全部又は一部が曲面状に湾曲していても良い。
【００８６】
なお、上記実施例の各態様及び設計変形例における樹脂積層体の各構成要素を構成する素材、形状、寸法、数及び配置等はその一例を説明したものであって、同様の機能を実現し得る限り任意に設計変更することが可能である。上記した実施例の各態様及び設計変更例は、互いに矛盾しない限り、相互に組み合わせることが可能である。なお、本発明の積層方向（Ｚ−Ｚ’方向）は、本発明の複数の層の積層方向である限り任意に設定可能である。本発明のＸ−Ｘ’方向は、積層方向に交差する限り任意に設定可能である。本発明のＹ−Ｙ’方向は、積層方向及びＸ−Ｘ’方向に交差しており且つ積層方向及びＸ−Ｘ’方向が位置する平面上に位置しない限り任意に設定することができる。
【符号の説明】
【００８７】
Ｌ１〜Ｌ３：樹脂積層体
１００：第１層
１０１：第１面
１０２：第２面
１１０：加飾部
１１１：開口部
２００：第２層
２０１：第１面
２０２：第２面
２１０：第１電極（第１機能部）
２２０：第１導電ライン
２２１（２２１ａ〜２２１ｃ）：並列部
３００ａ、３００ａ’：第１ダミー導体
３０１ａ、３０１ａ’：第１空き領域
３０２ａ、３０２ａ’：第２空き領域
３００ｂ、３００ｂ’：第２ダミー導体
３００ｃ：第１接地導体
３００ｄ：第２接地導体
４００：第３層
４０１：第１面
４０２：第２面
４１０：第２電極（第２機能部）
４２０：第２導電ライン
Ｄ１：距離（第１距離）
Ｄ２：距離（第２距離）
Ｄ３：距離（第３距離）
Ｄ４：距離
Ｄ５：距離（第４距離）
Ｄ６：距離（第５距離）
Ｏ：ＯＣＡフィルム
【図１Ａ】
2019159498.tif 000003
【図１Ｂ】
2019159498.tif 000004
【図１Ｃ】
2019159498.tif 000005
【図１Ｄ】
2019159498.tif 000006
【図２Ａ】
2019159498.tif 000007
【図２Ｂ】
2019159498.tif 000008
【図２Ｃ】
2019159498.tif 000009
【図３】
2019159498.tif 000010
【図４】
2019159498.tif 000011
【図５】
2019159498.tif 000012
【図６】
2019159498.tif 000013
【図７Ａ】
2019159498.tif 000014
【図７Ｂ】
2019159498.tif 000015
【図７Ｃ】
2019159498.tif 000016
【図７Ｄ】
2019159498.tif 000017